(57)【要約】【課題】  建物の外観および室内の美観を損なうことなく配管でき、また、配管のメンテナンスや更新を容易に行うことができ、さらに、将来のプラン変更等にも対応できて、建物の長期的な運用を可能にする。【解決手段】  本発明は、内壁面２にあらかじめ配管用の溝状の凹部２１が高さ方向に形成され、この凹部２１には、配管挿通部１２１を備えて凹部２１を覆う配管カバー１が、内壁面２とほぼ同一平面をなすように設けられる。配管５は、配管カバー１を着脱するとともに配管挿通部１２１を通して凹部２１に挿通し、この凹部２１を配管カバー１で被覆して配管５が隠蔽されている。【選択図】  図１
2009216134.tif 000002
【特許請求の範囲】
【請求項１】
壁面に形成された配管用の溝状の凹部に設けられる配管カバーであって、
前記凹部を閉止するカバー本体は、凹部を覆う表面部材と、この表面部材に開設自在に設けられた配管挿通部とを有して、前記凹部を開閉可能に取り付けられていることを特徴とする配管カバー。
【請求項２】
請求項１に記載の配管カバーにおいて、
前記カバー本体は、表面部材の裏面側に突設されて凹部の溝幅に対応するように配設された位置決め部材を備えていることを特徴とする配管カバー。
【請求項３】
請求項１または２に記載の配管カバーにおいて、
前記表面部材には、さらにカバープレート装着部が開設自在に設けられていることを特徴とする配管カバー。
【請求項４】
請求項３に記載の配管カバーにおいて、
前記表面部材には、配管挿通部およびカバープレート装着部がノックアウトにより開設可能に形成されていることを特徴とする配管カバー。
【請求項５】
請求項１〜４のいずれか一つの請求項に記載の配管カバーにおいて、
前記表面部材の両側部には、壁面の凹部の周縁部に重なる重合部が延設されていることを特徴とする配管カバー。
【請求項６】
請求項５に記載の配管カバーにおいて、
前記重合部の裏面側には気密材が連続して配設されて、壁面との間を気密的に封止しうることを特徴とする配管カバー。
【請求項７】
請求項１〜６のいずれか一つの請求項に記載の配管カバーにおいて、
前記カバー本体は、壁面の凹部に面する内側面に断熱材が添設されていることを特徴とする配管カバー。
【請求項８】
請求項１〜７のいずれか一つの請求項に記載の配管カバーにおいて、
前記カバー本体は、凹部に対して該カバー本体を着脱自在とする取着手段が備えられていることを特徴とする配管カバー。
【請求項９】
請求項１〜８のいずれか一つの請求項に記載の配管カバーにおいて、
前記凹部の内側に設置されて凹部内に配管スペースを形成する内側部材をさらに備えることを特徴とする配管カバー。
【請求項１０】
室内の壁面に設置される室内機と室外に設置される室外機との間を配管で接続するエアコンシステムにおけるエアコンの配管収納構造であって、
室内の壁面にはあらかじめ配管用の溝状の凹部が高さ方向に形成され、この凹部には、配管挿通部を備えて該凹部を覆う配管カバーが、室内の壁面とほぼ同一平面をなすように備えられるとともに該凹部を開閉可能となるように設けられ、
前記配管を、配管カバーの配管挿通部を通して凹部に挿通させて配管するとともに、この凹部を配管カバーで被覆して配管が隠蔽されていることを特徴とするエアコンの配管収納構造。
【請求項１１】
請求項１０に記載のエアコンの配管収納構造において、
前記凹部は開口部の側部近傍に設けられていることを特徴とするエアコンの配管収納構
造。
【請求項１２】
請求項１０または１１に記載のエアコンの配管収納構造において、
前記凹部は、外壁の室内側に隣り合って配設される内壁材同士を、配管用の間隔を相互間に設けて配置することにより形成されていることを特徴とするエアコンの配管収納構造。
【請求項１３】
請求項１０〜１２のいずれか一つの請求項に記載のエアコンの配管収納構造において、
前記凹部内には配管スペースを形成する内側部材が設置され、この内側部材と凹部との間に断熱材が介装されていることを特徴とするエアコンの配管収納構造。
【請求項１４】
請求項１０〜１３のいずれか一つの請求項に記載のエアコンの配管収納構造において、
前記凹部と配管カバーとの間には、さらに内壁下地材が介装され、この内壁下地材には前記凹部に接続する開口部が設けられていることを特徴とするエアコンの配管収納構造。
【請求項１５】
請求項１０〜１４のいずれか一つの請求項に記載のエアコンの配管収納構造において、
前記凹部は、上階と下階とに連続して設けられていることを特徴とするエアコンの配管収納構造。
【発明の詳細な説明】
【技術分野】
【０００１】
本発明は、配管カバーおよびエアコンの配管収納構造に関する。
【背景技術】
【０００２】
従来、住宅等の建物の室内に設置される室内機と室外機を結ぶエアコンの配管は、壁面に沿って配設されて外壁面に露出配管とされるか、必要に応じて配管化粧カバーで被覆することにより保護されている事例が多い。例えば特許文献１に記載されているように、配管化粧カバーには、壁孔を通して外部に引き出された冷媒管とドレン管とが全長にわたって収容され、外壁面に沿って配管することができるようになっている。
【０００３】
また、室内機と室外機を接続する配管を、壁ふかし等により壁体内に配管スペースを設けて隠蔽配管とする方法もある。例えば特許文献２に記載されているように、間柱間に架設された木桟に、冷媒管およびドレン管を取り付けるためのへこみ部を設けて、配管類を保持できるようにすることで、隠蔽配管が可能となされている。
【特許文献１】特開２００２−３１０３８２号公報
【特許文献２】特開平９−２１７９４５号公報
【発明の開示】
【発明が解決しようとする課題】
【０００４】
上記のようなエアコンの配管手法は、配管化粧カバーで被覆する場合には、外壁面に配管化粧カバーが這うことになって外観を損なうおそれがあり、意匠上好ましくない。また、壁体内に隠蔽して配管する場合には、壁面に露出せず意匠上の問題点は解消されるが、配管のメンテナンスや更新が容易にできないという欠点があった。
【０００５】
特に、近年では、ストック社会へ移行する中で、既存建物を改修または再生することで、建物を長期にわたって運用していくことが期待されている。建物を長期にわたって有効に使い続けるためには、強度的な耐久性を確保するだけでなく、その時々の建物の使用者や社会の要求に応じて建物の形態を変化させられることが必要となる。
【０００６】
例えば、住宅で言えば、家族構成が変化するのにともなって、必要な居室やその数が変わっていくため、将来、プラン変更やリフォーム等が行われることを想定した上で、それに対応できるように当初から計画されていることが望ましい。これにより、コストおよび資源の観点から損失を招くことなく、対応して建物を利活用することが可能となる。
【０００７】
このような観点から、建物の改修等の際にはエアコンを取り外したり、設置場所を変更したりすることが考えられ、上記エアコンの配管手法による場合には、配管部分を解体したり内装材を壊したりして配管を壁面から取り外し、またその壁面を補修あるいは更新する作業が必要となっている。加えて、新たにエアコンを設置する場所においては、再度壁面に配管用の貫通孔を設けたり、壁体内に配管スペースを設けたりしなければならない。したがって、建物を長期にわたり運用するには適さない手法であり、より好ましい配管手法が必要とされていた。
【０００８】
そこで本発明は、上記のような問題点にかんがみてなされたものであり、建物の外観および室内の美観を損なうことなく配管でき、また、配管のメンテナンスや更新を容易に行うことができ、さらに、将来のプラン変更等にも対応できて、建物の長期的な運用を可能にする配管カバーおよびエアコンの配管収納構造を提供するものである。
【課題を解決するための手段】
【０００９】
上記目的を達成するため、本発明は、壁面に形成された配管用の溝状の凹部に設けられる配管カバーであって、前記凹部を閉止するカバー本体は、凹部を覆う表面部材と、この表面部材に開設自在に設けられた配管挿通部とを有して、前記凹部を開閉可能に取り付けられていることを特徴としている。
【００１０】
これにより、配管を室内側および室外側の双方に露出することなく隠蔽させて配設することができ、また配管のための部材による凹凸が露出することもなく、すっきりと納めて建物の外観および室内の美観を維持することができる。また、かかる配管カバーは、配管挿通部が開設自在であるので、凹部に配管を行う際に配管挿通部を開設して配管を凹部に通すことができるものであり、当該凹部を配管に用いないときには、配管挿通部を閉止したままの状態で凹部を覆って使用することも可能である。
【００１１】
また、本発明は、前記構成の配管カバーにおいて、前記カバー本体は、表面部材の裏面側に突設されて凹部の溝幅に対応するように配設された位置決め部材を備えたことを特徴としている。
【００１２】
これにより、壁面の凹部に対してカバー本体が位置決めされて納まりがよく、取付作業が簡単であり、誰でも容易に取り付けて開閉することが可能なる。また、カバー本体を凹部に取り付けた後も、凹部に対して安定した設置状態を保持して、配管用の凹部を覆うことができる。
【００１３】
また、本発明は、前記構成の配管カバーにおいて、前記表面部材には、さらにカバープレート装着部が開設自在に設けられていることを特徴としている。
【００１４】
これにより、必要に応じて、表面部材にカバープレートを装着するための開口を設けることができる。カバープレート装着部によって形成された開口には、例えば凹部近傍にエアコンを設置して使用する際に、電源コンセントを備えたカバープレートを装着することができる。
【００１５】
前記構成の配管カバーにおいて、前記表面部材には、配管挿通部およびカバープレート装着部がノックアウトにより開設可能に形成されていることが好ましい。
【００１６】
これにより、凹部を配管に用いる際や、電源コンセントの設置が必要となった際に、配管挿通部およびカバープレート装着部を、極めて簡単な作業だけで表面部材に開設することができる。また、凹部を配管に用いないときには、表面部材に不要な開口が設けられることなく配管カバーを使用することができるので、美観を損なうこともない。
【００１７】
また、本発明は、前記構成の配管カバーにおいて、前記表面部材の両側部には、壁面の凹部の周縁部に重なる重合部が延設されていることを特徴としている。
【００１８】
これにより、配管カバーのカバー部材を壁面の凹部に取り付けたとき、凹部の周縁部に重合部が重なり合って、凹部を露出させず、凹部に納まりよく配設することができる。また、壁面に内装下地材等が設けられているときには、凹部の周縁部に重なり合う重合部によって、その小口を隠すことができ、外観上も好ましい。
【００１９】
さらに、本発明では、前記重合部の裏面側には気密材が連続して配設されて、壁面との間を気密的に封止しうるようになされてもよい。これにより、壁面に設けられた凹部による壁面の気密ラインの欠損を回避することができ、気密ラインを連続させることができる。
【００２０】
また、本発明では、前記構成の配管カバーにおいて、前記カバー本体は、壁面の凹部に面する内側面に断熱材が添設されてもよい。これにより、カバー本体に断熱性能をもたせることができ、壁面の凹部と室内側との間で断熱ラインを形成することができる。したがって、凹部の設けられた壁面において断熱ラインが形成されている場合に、それを連続させることができる。
【００２１】
また、本発明は、前記構成の配管カバーにおいて、前記カバー本体は、凹部に対して該カバー本体を着脱自在とする取着手段が備えられていることが好ましい。
【００２２】
これにより、カバー本体を凹部に取り付ける際の手間が軽減され、作業性が高められる。かかる取着手段には多種の形態が可能であり、例えば、取り付けおよび取り外しの容易なビス等の止着具を使用可能なビス孔およびビス受け等が形成されてもよい。取り付けおよび取り外しが容易であることにより、専門の作業者によることなく誰でも容易に配管カバーを着脱することができ、また、壁面を解体したり壊したりすることなく、配管のメンテナンスや更新を行うことも可能となる。
【００２３】
また、本発明においては、前記凹部の内側に設置されて凹部内に配管スペースを形成する内側部材をさらに備えるように構成されてもよい。これにより、凹部の内側において配管用のスペースを明確に区画することができ、配管を納めたとき、配管と凹部との緩衝を防ぐことができる。
【００２４】
また、上記目的を達成するため本発明は、室内の壁面に設置される室内機と室外に設置される室外機との間を配管で接続するエアコンシステムにおけるエアコンの配管収納構造であって、室内の壁面にはあらかじめ配管用の溝状の凹部が高さ方向に形成され、この凹部には、配管挿通部を備えて該凹部を覆う配管カバーが、室内の壁面とほぼ同一平面をなすように備えられるとともに該凹部を開閉可能となるように設けられ、前記配管を、配管カバーの配管挿通部を通して凹部に挿通させて配管するとともに、この凹部を配管カバーで被覆して配管が隠蔽されていることを特徴としている。
【００２５】
これにより、エアコンの配管施工前においては配管カバーが室内に一体的に設けられて美観を損なうことがなく、必要に応じて、配管カバーを取り外して配管し、簡単な作業でエアコンを設置することができる。エアコンの施工後においては、配管が室内および室外のいずれにも露出することなく、すっきりとした外観のもと、隠蔽配管することができる。
【００２６】
また、本発明は前記構成のエアコンの配管収納構造において、前記凹部は開口部の側部近傍に設けられていることが好ましい。
【００２７】
これにより、配管がしやすく、かつ室内機を設置する室内空間に対して効果的なエアコンの配置形態とすることができる。また、将来のプラン変更等を想定しても、開口部の直近に新たに間仕切り壁が設置されることは考えにくいため、かかる開口部の側部近傍に凹部が設けられて配管カバーが設置されることが好ましい。
【００２８】
また、本発明は前記構成のエアコンの配管収納構造において、前記凹部は、室内側に隣り合って配設される内壁材同士を、配管用の間隔を相互間に設けて配置することにより形成されていることが好ましい。
【００２９】
これにより、建物施工時に凹部を容易に形成することができる。また、内壁材の端部が適切に処理されたものであれば、当該凹部の内側の仕上げを行う手間を省くことも可能と
なる。
【００３０】
また、本発明は前記構成のエアコンの配管収納構造において、前記凹部内には配管スペースを形成する内側部材が設置され、この内側部材と凹部との間に断熱材が介装されてもよい。
【００３１】
このような内側部材を設置することにより、凹部の内側において配管用のスペースを明確に区画することができ、配管を納めたとき、配管と凹部との緩衝を防ぐことができる。また、断熱材が介装されることで、凹部に断熱性能をもたせることが可能になり、凹部の設けられた壁面において断熱ラインが形成されている場合に、それを欠損させることなく連続させることができる。
【００３２】
また、本発明は前記構成のエアコンの配管収納構造において、前記凹部と配管カバーとの間には、さらに内壁下地材が介装され、この内壁下地材には前記凹部に接続する開口部が設けられてもよい。
【００３３】
このように構成されることにより、前記の作用効果を有する配管収納構造を採用しつつ、室内側においては、内壁下地材にクロス等の内装材を張り、幅木や回縁等の各種の仕上げを施すことが可能となり、内装仕上げの自由度が高められる。
【００３４】
また、本発明は前記構成のエアコンの配管収納構造において、前記凹部は、上階と下階とに連続して設けられてもよい。
【００３５】
これにより、上階からの配管をそのまま下階に引き下ろし、下階に設けられた凹部を通して室外機に接続でき、効率よく機能的に配管することができる。
【発明の効果】
【００３６】
上述のように構成される本発明の配管カバーおよびエアコンの配管収納構造によれば、建物の外観および室内の美観を損なうことなく配管することができ、また、配管のメンテナンスや更新を容易に行うことができる。さらに、将来のプラン変更等にも柔軟に対応することが可能であり、建物の長期的な運用が可能となる。
【発明を実施するための最良の形態】
【００３７】
以下、本発明に係る配管カバーおよびエアコンの配管収納構造を実施するための最良の形態について、図面を参照しつつ説明する。
【００３８】
まず、本発明の配管カバーについて説明する。図１は、本発明に係る配管カバーおよびエアコンの配管収納構造の一実施形態を示す説明図であり、図２は図１の室外側を示す説明図である。また、図３は本発明の配管カバーの断面図であり、図４および図５は配管カバーの変形例を示す断面図である。
【００３９】
配管カバー１は、内壁面２に設けられた配管用の凹部２１を被覆して、内部にエアコンの配管を隠蔽して配管するのに用いられる。
【００４０】
図１に例示するように、内壁面２には高さ方向に連続する溝状の凹部２１が形成されている。配管カバー１のカバー本体１１は、凹部２１を覆う表面部材１２と、この表面部材１２の裏面側に突設された位置決め部材１３、１３とを備えて形成されている。
【００４１】
表面部材１２は、凹部２１の高さおよび溝幅に対応する大きさで形成され、幅方向の両側部に、凹部２１の周縁部（内壁面２の表面）に重なる重合部１４、１４が延設されてい
る。これらの重合部１４、１４の裏面側には、気密材１５が長さ方向に連続して配設されている。これにより、内壁面２との間を気密的に封止しうるようになされている。
【００４２】
また、表面部材１２には、配管挿通部１２１およびカバープレート装着部１２２が設けられている。配管挿通部１２１は、エアコンの室内機３から伸びる配管類をカバー本体１１の内側へ挿通させるスリーブを構成する。また、カバープレート装着部１２２は、電源コンセントを備えるカバープレート１９を装着するための開口部となり、エアコンの電源を得るために用いることができる。
【００４３】
かかる配管挿通部１２１およびカバープレート装着部１２２は、ホールソー等の穿孔工具やボール盤等の工作機械を用いて、その都度、必要な場所に貫通孔を開ける要領で形成されてもよいが、好ましくはノックアウト孔とされていることである。この場合、配管挿通部１２１およびカバープレート装着部１２２は、打ち抜いて取り除かれるノックアウト部として形成されており、スリットや凹凸部等の各種の打ち抜き可能な形態を有することにより、適宜ノックアウトできるようになっている。これにより、必要に応じて当該ノックアウト部が打ち抜かれて、配管挿通部１２１およびカバープレート装着部１２２を表面部材１２に貫通した開口として開設することができるようになされている。
【００４４】
また、位置決め部材１３は、表面部材１２の裏面側（凹部に対向する面）に、凹部２１の溝幅に対応させた間隔で２枚が配設されて、凹部２１内に嵌挿しうるように備えられている。例示の形態では、位置決め部材１３、１３は、表面部材１２の重合部１４、１４の内側に配設され、長手方向に連続して立設されている。また、位置決め部材１３の奥行き方向の延設長さは、凹部２１の奥行き（あるいは、内壁材２２の厚み）に対応させて形成されている。
【００４５】
これにより、カバー本体１１は断面形状が略Π形状に形成され、凹部２１の長手方向の内側面に沿って位置決め部材１３、１３を差し込み可能とされ、内壁面２の凹部２１に対してカバー本体１１が適切な位置に納まるように位置決めされる構成となっている。
【００４６】
図３に示すように、かかるカバー本体１１は、内壁面２の凹部２１に面する内側面に断熱材１６が添設されている。すなわち、位置決め部材１３、１３の互いに対向する内面側と、これらの位置決め部材１３、１３間に存する表面部材１２の裏面側に、断熱材１６が備えられている。これにより、内壁面２に形成された凹部２１にも断熱性能をもたせることが可能となり、形成されている断熱ラインを連続させることができる。
【００４７】
また、配管カバー１は、図４および図５に示すように、室内に露出することになる表面部材１２の表面側に、あらかじめ凹状部を設けて、そこに下地材１７を張った形態も可能である。図４は、配管カバー１の上部側の断面図であり、図５は下部側の断面図である。
【００４８】
図１に示したように、室内機３を設置するにあたっては、内壁面２における設置箇所に取付用下地板３１が取り付けられる。そこで、カバー本体１１において、この取付用下地板３１に重なることが想定される上部側には、下地材１７として合板１７１が添設されてある。これに対し、取付用下地板３１に重なることのないカバー本体１１の下部側は、図５に示すように下地材１７として石膏ボード１７２が添設され、さらにクロス等の内装材で仕上げがなされる。
【００４９】
さらに、カバー本体１１は、上下の隅部に取着手段１８が設けられている。例示の場合、取着手段１８としてビス１８１等の止着具による手段が用いられており、これにより、カバー本体１１の取り付けおよび取り外しが容易となり、必要に応じて適宜カバー本体１１を凹部２１に着脱することができる。この場合、カバー本体１１の表面部材１２にビス
穴１８２…１８２が設けられるとともに、図示しないビス受部が凹部２１内に設けられていればよい。
【００５０】
このような配管カバー１は、合成樹脂系材料により成形されても、またＳＵＳ等の金属製材料により形成されていてもよい。
【００５１】
また、本発明において配管カバーは、次のように構成されていてもよい。図６は、本発明に係る配管カバーおよびエアコンの配管収納構造の他の実施形態を示す説明図であり、図７は図６の配管カバーおよびエアコンの配管収納構造における断面図である。
【００５２】
この配管カバー１のカバー本体１１は、凹部２１を覆う板状の表面部材１２に配管挿通部１２１およびカバープレート装着部１２２、さらに重合部１４を備えて形成されている。重合部１４の裏面側には、気密材１５が連続して配設され、内壁面２との間を気密的に封止しうるようになっている。
【００５３】
この形態では、内壁面２の溝状の凹部２１内に、内側部材１１２が納められている。内側部材１１２は、凹部２１の断面形状に相似する断面略コ字状の長尺部材であり、凹部２１内に嵌め込まれて設置される。
【００５４】
図７に示すように、断面略コ字状の内側部材１１２は、凹部２１において外壁７との間を明確に区画して配管スペースを形成する。かかる内側部材１１２により、凹部２１の内側に各種壁面材の小口が露出する場合には、その小口処理を不要にすることができる。
【００５５】
また、この内側部材１１２の背面側には断熱材１１４が設けられて、内側部材１１２と凹部２１、外壁７との間に断熱材１１４が介装されている。これにより、凹部２１に断熱性能をもたせることが可能になり、内壁断熱ラインを連続させることができる。
【００５６】
表面部材１２には、ビス穴１８２…１８２が設けられ、ビス１８１等の止着具による取着手段１８を備えている。また、凹部２１に納められる内側部材１１２には、周縁部にビス受部１８３…１８３が設けられている。これらのビス受部１８３…１８３は、凹部２１の内側に突設され、表面部材１２のビス穴１８２を通じてビス１８１を固定できるように構成されている。したがって、カバー本体１１の表面部材１２を凹部２１に取り付けるとき、対応するビス穴１８２とビス受部１８３とが重なり合うようにカバー本体１１を配置し、ビス固定すれば自ずと適切な位置に設置することができ、かかるビス受部１８３を有する内側部材１１２が位置決めをなす部材ともなる。
【００５７】
このような内側部材１１２が納められる凹部２１の室内側には、さらに内壁下地材（ボード）２２１が配設されている。内壁下地材２２１には、凹部２１に対応する大きさの開口部２２２が設けられて凹部２１に接続されている。また、この形態では、開口部２２２の上下左右の周縁部に、カバー本体１１の重合部１４が重なり合うように配置され、納まりよく取り付けることが可能となっている。
【００５８】
図６に示すように、内壁面２における室内機３の設置箇所には取付用下地板３１が設けられる。また、凹部２１内の内側部材１１２には貫通孔１１３が設けられるとともに、配管用のスリーブ７３が外壁７の貫通孔７１に配設され、スリーブキャップ７２で閉止されている。
【００５９】
かかる形態の配管カバー１により、配管がなされる凹部２１に断熱ラインを連続させつつ配管スペースを設けることができ、また躯体と配管とを明確に分離させることが可能となる。さらに、室内側においては、内壁下地材２２１にクロス等の内装材を張り、幅木や
回縁等の各種の仕上げを施すことができる。
【００６０】
次に、本発明に係るエアコンの配管収納構造について説明する。図８および図９は本発明のエアコンの配管収納構造を適用した居室例を示す説明図であり、図１０は配管収納構造の断面説明図、図１１はエアコン室内機の配置バリエーションを示す断面説明図である。
【００６１】
本発明のエアコンの配管収納構造においては、内壁面２に設置される室内機３と室外に設置される室外機４との間を、配管５により接続するエアコンシステムを前提としている。図１に示したように、内壁面２にはあらかじめ配管用の凹部２１が高さ方向に形成されている。図１の例では、凹部２１は、室内側に隣り合って配設される内壁材２２、２２同士を所定の間隔だけ離間させて建て込むことにより、高さ方向に溝状に形成されている。内壁材２２、２２同士の間隔は、収容する配管５の管径を考慮して決定され、例えば１００ｍｍ程度の間隔が相互間に設けられる。
【００６２】
この凹部２１には、配管挿通部１２１やカバープレート装着部１２２を備えて凹部２１を覆う前記配管カバー１が備えられている。配管カバー１は、内壁面２とほぼ同一平面をなすように設けられている。また、ビス等の取着手段により着脱自在に取着されて、凹部２１を必要に応じて開閉することができるようになっている。
【００６３】
このように配管カバー１を設置しておく箇所は、図８および図９に示すように、開口部６の側部近傍に設けられていることが好ましい。通常、エアコンの配管のしやすさや建物の空調負荷を考慮すれば、ペリメータ部に室内機３を設置して主風向を室内方向に送出することが好ましい。また、将来のプラン変更等を想定しても、開口部６の直近に新たに間仕切り壁が設置されることは考えにくいため、かかる開口部６の側部近傍に配管カバー１を設けることが好ましい。
【００６４】
配管カバー１は、開口部６の両側部に設けられてもよい。また、図８に示すように、開口部６が掃き出し窓である場合にも、図９に示すように腰壁を有する場合にも、天井面から床面までの高さ範囲で凹部２１が設けられて、配管カバー１で覆われていることが好ましい。より好ましくは、配管カバー１に設ける配管挿通部１２１やカバープレート装着部１２２が、ノックアウト孔とされていることであり、凹部２１に配管せず未使用の状態であっても、室内の美観を損なうことなく、開口部６のフレームのように設けておくことができ、一体感のある意匠を形成することが可能である。
【００６５】
そして、室内機３の設置は、取付用下地板３１を所定部位に取り付け、室内機３から室外機４へと接続する冷媒管やドレン管等の配管５を、配管カバー１に開設された配管挿通部１２１を通して壁体内に導入し、凹部２１に挿通させて配管する。取付用下地板３１は、室内機３を据え付ける際に該当箇所に取り付けられる。
【００６６】
カバープレート装着部１２２には、電源コンセントを備えたカバープレート１９が装着される。また、凹部２１には、室内機３および室外機４の電気配線を挿通させて、通線スペースとすることも可能である。
【００６７】
凹部２１に挿通された配管５は、外壁面７に設けられた貫通孔（スリーブ）７１から外部に延出され、室外機４に接続されている。貫通孔７１は、あらかじめ凹部２１から外壁面７に設けられており、施工時にスリーブキャップ７２を取り外して開設される。そして、凹部２１を室内側から配管カバー１で被覆して配管５が隠蔽される。配管カバー１の内側には、配管５を保持する図示しないサドルが設けられていてもよい。
【００６８】
図１０に示すように、凹部２１が、上階１０１と下階１０２の内壁面２に連続して設けられていてもよい。この場合、上階１０１の配管５は、上階１０１の凹部２１に挿通され、上階床１０３を貫通して下階１０２の凹部２１に挿通される。天井部１０４には、適宜メンテナンス用の点検口が設けられる。
【００６９】
また、本発明のエアコンの配管収納構造は、居室の外壁側に設けられるだけでなく、例えば図１１に示すように、間仕切り壁１０５に据え付けた室内機３や、天井面に埋め込み設置された室内機３に対しても好適に利用することができる。この場合、間仕切り壁１０５の室内機３からは、間仕切り壁１０５の凹部２１を通して配管され、配管カバー１で隠蔽される。天井部１０４の室内機３は、天井懐に横引配管し、内壁面２の凹部２１に挿通させて、配管５が室外機４へ接続される。したがって、想定されるどのようなエアコンの設置形態にも対応して、本配管収納構造を利用することができる。
【００７０】
このように、本発明の配管カバーおよびエアコンの配管収納構造によれば、エアコンの配管施工前においては室内に一体的に設けられて美観を損なうことがなく、必要に応じて、あらかじめ設けられている配管カバー１を取り外して配管し、エアコンを設置することができる。エアコンの施工後においては、配管５が内壁面２および外壁面７のいずれにも露出することなく、すっきりとした外観のもと、隠蔽配管することができる。また、配管カバー１は着脱自在であるため、機器や配管の交換およびメンテナンスも容易に行うことができる。さらに、配管カバー１の設置によっても、室内の断熱性能や気密性能が損なわれることがなく、快適な住環境を提供することができる。
【００７１】
また、その時々の建物の使用者や社会の要求に応じてプラン変更やリフォーム等が行われる際にも、エアコンの配管部を取り壊したり、新たに増設したりする必要がなく、配管カバー１を着脱して、配管場所を変更するだけで対応することができる。したがって、建物を長期にわたって運用していくことが可能となり、コストおよび資源の観点からも有益である。
【００７２】
なお、本発明に係る配管カバーおよびエアコンの配管収納構造において、配管カバー１は図１に示す形態に限定されず、配管挿通部１２１を備えて凹部２１を覆って配管５を隠蔽しうるものであれば、どのような形態であってもよい。したがって、配管カバー１は、凹部２１の片側部に回動自在に取着されて、開閉可能な構造を備えていてもよい。また、配管カバー１の取着手段も上記例に限定されず、ラッチ錠や板バネ、ハンドル、ヒンジ等のどのような着脱開閉機構であってもよい。また、配管カバーは、エアコンの配管に用いられるだけでなく、他の配管類の隠蔽配管にも好適に使用することができる。
【産業上の利用可能性】
【００７３】
本発明は、建物に設けられる配管部において好適に用いることができる。
【図面の簡単な説明】
【００７４】
【図１】本発明に係る配管カバーおよびエアコンの配管収納構造の一実施形態を示す説明図である。
【図２】図１の室外側を示す説明図である。
【図３】本発明の配管カバーの断面図である。
【図４】本発明の配管カバーの変形例を示す断面図である。
【図５】本発明の配管カバーの変形例を示す断面図である。
【図６】本発明に係る配管カバーおよびエアコンの配管収納構造の他の実施形態を示す説明図である。
【図７】図６の配管カバーおよびエアコンの配管収納構造における断面図である。
【図８】本発明のエアコンの配管収納構造を適用した居室例を示す説明図である。
【図９】本発明のエアコンの配管収納構造を適用した他の居室例を示す説明図である。
【図１０】本発明のエアコンの配管収納構造の断面説明図である。
【図１１】エアコン室内機および室外機の配置バリエーションを示す説明図である。
【符号の説明】
【００７５】
１      配管カバー
１１    カバー本体
１１２  内側部材
１２    表面部材
１２１  配管挿通部
１２２  カバープレート装着部
１３    位置決め部材
１４    重合部
１５    気密材
１６    断熱材
１７    下地材
１８    取着手段
１９    カバープレート
２      内壁面
２１    凹部
２２    内壁材
２２ａ  内壁下地材
３      室内機
４      室外機
５      配管
６      開口部
７      外壁面
【図１】
2009216134.tif 000003
【図２】
2009216134.tif 000004
【図３】
2009216134.tif 000005
【図４】
2009216134.tif 000006
【図５】
2009216134.tif 000007
【図６】
2009216134.tif 000008
【図７】
2009216134.tif 000009
【図８】
2009216134.tif 000010
【図９】
2009216134.tif 000011
【図１０】
2009216134.tif 000012
【図１１】
2009216134.tif 000013